(57)【要約】      （修正有）【課題】毎日の盆栽への水遣りを容易にし、且つ水遣りに使用する水の有効活用率を高め、さらに蟻や害虫、ナメクジが盆栽まで上がってくるのを阻止できるようにすると共に、夏の日差しや鳥害からも守ることのできる盆栽棚を提供する。【解決手段】盤状にして水平配設される基台１と、この基台１に対して垂直起立し、且つ軸心を中心に基台に対し回転自在に取付けられる軸状体３と、板面を貫通する複数の通孔４１が形成され、その上板面４ａを水平に配して、且つ上下方向に離れて、軸状体３に固定一体化される複数の棚板４と、を具備し、下段側の棚板４上に、上段側の棚板４に係る通孔４１を通って垂れる水滴が落下する。【選択図】図１
0003164338.tif 000002
【実用新案登録請求の範囲】
【請求項１】
盤状にして水平配設される基台(1)と、この基台(1)に対して垂直起立し、且つ軸心を中心に該基台に対し回転自在に取付けられる軸状体(3)と、板面を貫通する複数の通孔(41)が形成され、その上板面(4a)を水平に配して、且つ上下方向に離れて、該軸状体(3)に固定一体化される複数の棚板(4)と、を具備し、下段側の該棚板(4)上に、上段側の該棚板(4)に係る前記通孔(41)を通って垂れる水滴(W１)が落下することを特徴とする盆栽棚。
【請求項２】
最下段の前記棚板(4)よりも下方の前記軸状体(3)に、又は前記基台(1)に対し垂直起立して該軸状体(3)に接続する基柱(25)に、上面開口の受け皿(5)がさらに固着され、最下段の該棚板(4)の前記通孔(41)を通って垂れる水滴(Ｗ１)が、該受け皿(5)内に収容されるようにした請求項１に記載の盆栽棚。
【請求項３】
最下段の前記棚板(4)よりも下方で且つ前記受け皿(5)の上縁よりも上方部位の前記軸状体(3)に、又は受け皿(5)よりも下方に位置する前記基柱(25)に、銅板(6)が巻付けられてなる請求項２記載の盆栽棚。
【請求項４】
前記軸状体(3)の上方から被着して、複数の前記棚板(4)を覆うことのできる別体のシート状袋状体(81)をさらに具備する請求項１乃至３のいずれか１項に記載の盆栽棚。
【請求項５】
前記軸状体(3)の上方から被着して、複数の前記棚板(4)を覆うことのできる別体の網状袋状体(82)をさらに具備する請求項１乃至３のいずれか１項に記載の盆栽棚。
【考案の詳細な説明】
【技術分野】
【０００１】
本考案は、盆栽が載置される盆栽棚に関し、特にミニ盆栽,小品盆栽の載置に好適な盆栽棚に関する。
【背景技術】
【０００２】
近年、盆栽を楽しむ人が増え、庭やベランダ等に盆栽を飾る人が多くなっている。そして、さほどのスペースを要しないことから、数多くの種類の植木をミニ盆栽で育てる人も多くなっている。
こうした状況下、種々の盆栽棚の改良発明が提案されている（例えば特許文献１,２）。
【先行技術文献】
【特許文献】
【０００３】
【特許文献１】実用新案登録第３０１５７３７号公報
【特許文献２】特開２０００−６０７０３号公報
【０００４】
特許文献１は、梱包形態が小さくなって、輸送費,保管費を減少させる組立て可能な小品盆栽飾り棚を提供する。また、特許文献２は、棚を回転させて、盆栽の鉢を見る角度を変える盆栽用観賞棚を提案する。
【考案の開示】
【考案が解決しようとする課題】
【０００５】
しかるに、特許文献１は小品盆栽飾り棚を組立てても、これで終わりでなかった。飾り棚に多数の小品盆栽を飾った後、毎日の水遣りが必要であり、狭い場所やベランダ等にいっぱい盆栽を飾ると、遠くの盆栽まで水をやるのが難しい問題があった。固定タイプの従来型盆栽棚は、日常の水遣りに苦労する。尚、特許文献２には棚を回転させる盆栽用観賞棚が存在するが、棚は一つであり、その棚の上に飾る盆栽の見る角度を変える提案にとどまっていた。
一方、盆栽へは、通常、毎朝タップリと水遣りを行う。盆栽へかけているはずの水であっても、盆栽から外れる水も多く、また鉢内を通過して流れ落ちる水が結構存在し、水の有効活用できる余地が残されている。加えて、地面やベランダの床に盆栽棚を直接設置すると、蟻や害虫、さらにナメクジが盆栽の所まで登ってくる問題がある。
さらにいえば、盆栽を育てるにあたっては、夏の日差しから盆栽を守り、果実のなる盆栽は鳥によって食べられないように保護する必要もある。
【０００６】
本考案は上記問題点を解決するもので、毎日の盆栽への水遣りを容易にし、且つ水遣りに使用する水の有効活用率を高め、さらに蟻や害虫、ナメクジが盆栽まで上がってくるのを阻止できるようにすると共に、夏の日差しや鳥害からも守ることのできる盆栽棚を提供することを目的とする。
【課題を解決するための手段】
【０００７】
上記目的を達成すべく、請求項１に記載の考案の要旨は、盤状にして水平配設される基台(1)と、この基台(1)に対して垂直起立し、且つ軸心を中心に該基台に対し回転自在に取付けられる軸状体(3)と、板面を貫通する複数の通孔(41)が形成され、その上板面(4a)を水平に配して、且つ上下方向に離れて、該軸状体(3)に固定一体化される複数の棚板(4)と、を具備し、下段側の該棚板(4)上に、上段側の該棚板(4)に係る前記通孔(41)を通って垂れる水滴(W１)が落下することを特徴とする盆栽棚にある。
請求項２の考案たる盆栽棚は、請求項１で、最下段の前記棚板(4)よりも下方の前記軸状体(3)に、又は前記基台(1)に対し垂直起立して該軸状体(3)に接続する基柱(25)に、上面開口の受け皿(5)がさらに固着され、最下段の該棚板(4)の前記通孔(41)を通って垂れる水滴(Ｗ１)が、該受け皿(5)内に収容されるようにしたことを特徴とする。請求項３の考案たる盆栽棚は、請求項２で、最下段の前記棚板(4)よりも下方で且つ前記受け皿(5)の上縁よりも上方部位の前記軸状体(3)に、又は受け皿(5)よりも下方に位置する前記基柱(25)に、銅板(6)が巻付けられてなることを特徴とする。請求項４の考案たる盆栽棚は、請求項１〜３で、軸状体(3)の上方から被着して、複数の前記棚板(4)を覆うことのできる別体のシート状袋状体(81)をさらに具備することを特徴とする。請求項５の考案たる盆栽棚は、請求項１〜３で、軸状体(3)の上方から被着して、複数の前記棚板(4)を覆うことのできる別体の網状袋状体(82)をさらに具備することを特徴とする。
【考案の効果】
【０００８】
本考案の盆栽棚は、盆栽への水遣りを楽にし、且つ水遣りに使用する水が有効に使われ、また蟻やナメクジなどが盆栽まで上がってくるのを阻止でき、さらには夏の日差しや鳥害からも守ることのできるなど多大な効を奏する。
【図面の簡単な説明】
【０００９】
【図１】実施形態１に係る盆栽棚の全体斜視図である。
【図２】図１の盆栽棚の一部断面正面図である。
【図３】図１の盆栽棚に袋状体を備えた一部断面正面図である。
【図４】図２の部分拡大図である。
【図５】図１〜図４に代わる他態様の盆栽棚で、その基台周りの一部断面正面図である。
【図６】実施形態２に係る盆栽棚の全体斜視図である。
【考案を実施するための形態】
【００１０】
以下、本考案に係る盆栽棚について詳述する。
（１）実施形態１
図１〜図５は本考案の盆栽棚の一形態で、図１はその全体斜視図、図２,図３は図１の一部断面正面図、図４は図２の部分拡大図、図５は図１〜図４に代わる他態様の基台周りの一部断面正面図である。尚、図面を判り易くするため、図１〜図５は通孔を大きく描く。
【００１１】
盆栽棚は基台１と軸状体３と棚板４と受け皿５と袋状体８とを具備する(図３)。本実施形態は小品盆栽９たるミニ盆栽用の盆栽棚に適用する。
【００１２】
基台１はコンクリート製,金属製等の重量がある盤状の基盤からなり、ここでは、主部１ａがコンクリート製の円盤体からなる。基台１は各住宅の庭の地面やベランダの床面等に水平配設される。基台１の中央には透孔１０が設けられる。さらに基台１の下面側で透孔１０周囲に、該通孔４１よりも一回り大きく円柱形に凹む凹所１１が形成され、透孔１０の周りに段差面１１ａが設けられる。ここで、本考案でいう「垂直」,「垂直方向」とは重力方向で、図２でいえば紙面上下方向を指す。「水平」,「水平方向」とは重力と直角に交わる方向で、図２でいえば紙面左右横方向を指す。「上方向」は図２の紙面上方向、「下方向」は図２の紙面下方向を指す。
符号１２は基台１の上面側に適宜間隔で複数形成したベアリング用凹部を示す。各凹部１２が間隔をあけて透孔１０を取り巻くように設けられる。
【００１３】
そして、基台１とほぼ同じ円盤状の大きさで、該基台１とは別体構成のベース板２を備える。該ベース板２は、盤状主要部２０が重量のあるコンクリート製で、主要部２０の下面側の中央に前記透孔１０に挿通し得る金属製軸体２１を垂下させる。また、ベース板２の下面には、前記ベアリング用凹部１２に対向するそれぞれの箇所に凹部２２が形成される。凹所１１,凹部２２間にベアリングＢＲを介在させて、前記軸体２１を上方側から透孔１０へ貫通させた後、該軸体２１の先端部分に止具２３を取着することによって、基台１に対し、ベース板２が安定して回転自在に取付けられる。
一方、ベース板２の上面中央には、基柱２５が起立固定される。該基柱２５は基柱下部２５ａと基柱上部２５ｂとからなる。ベース板２に筒状の基柱下部２５ａが起立固定し、該基柱下部２５ａの筒内へ上方から中実の基柱上部２５ｂを差し込んで両者が一体化する。基柱下部２５ａと基柱上部２５ｂとが一体化した基柱２５が、ベース板２、さらに基台１に対し垂直起立する。
【００１４】
前記基柱２５には、上面開口５０の受け皿５が固着される。基台１,ベース板２に対し垂直起立する基柱上部２５ｂのほぼ中間高さ地点で、受け皿５が固着保持される(図１,図２)。該受け皿５は、底面を形成する底壁部５１と、該底壁部５１に係る外周縁を取り囲むようにして上方へ延設する側壁部５２とで図示ごとくの上面開口５０の皿状容器になっている。水平配設される底壁部５１の中央を貫通する基柱上部２５ｂ周りは接着剤で水密シールされ、基柱上部２５ｂと受け皿５とが一体になる。該基柱上部２５ｂには、受け皿５の底壁部５１の地点から上方に延びる基柱上部２５ｂ高さの約半分の高さ地点まで銅板６が巻き付けられる。該銅板６の上点は側壁部５２の上点よりも高い。そして、基柱上部２５ｂの上端部分に軸状体３が接続固定される。
【００１５】
軸状体３は棚板４が固定一体化される棒状体である。ここでの軸状体３は、長尺の主軸部３１と、これに嵌合する複数の外筒部３２(ここでは第一外筒部３２ａ〜第三外筒部３２ｃ)と、コーン部３３とキャップ３４とからなる。主軸部３１の外径は基柱上部２５ｂの外径にほぼ等しい。短管からなる各外筒部３２の内径は基柱上部２５ｂの外径にほぼ等しい。軸状体３に係る第一外筒部３２ａの下端部を基柱上部２５ｂの上端部分に嵌め込み固定一体化する。該第一外筒部３２ａに上方から主軸部３１を挿着固定し、棚板４を介在させて(後述)、該主軸部３１に第二外筒部３２ｂ,第三外筒部３２ｃ、さらにコーン部３３,キャップ３４が取着されてなる軸状体３が、基柱上部２５ｂに固定一体化される。基台１に対し垂直起立する基柱２５に軸状体３が接続される。かくして、基柱２５が基台１に垂直起立し且つ軸心を中心にして回転自在に取付けられていることから、軸状体３が水平配設される基台１に垂直起立し、軸心を中心にして該基台１に対し回転自在に取付けられる。
【００１６】
尚、軸状体３は基台１に垂直起立し、軸心を中心にして該基台１に対し回転自在に取付けられればよく、図１〜図４の構成に限定されない。例えば図５のような構成であってもよい。図５は基台１に設けた柱部１５に軸部１６を立設する一方、該軸部１６が遊挿することのできる内径を有するパイプからなる軸状体３を備える盆栽棚を示す。該軸状体３を上方から軸部１６に遊嵌状態で嵌め込むことによって、下端が柱部１５の上端面に当接して、軸状体３が水平配設される基台１に垂直起立し、且つ軸心を中心にして該基台１に対し回転自在に取付けられる。
本軸状体３には棚板４が複数取着される
【００１７】
棚板４は、ミニ盆栽９が載る板状体で、その上板面４ａを水平に配して該軸状体３に固定一体化される(図４)。棚板４の板面には上板面４ａから下板面４ｂへ貫通する複数の通孔４１が形成される。本実施形態の棚板４は、図示のごとく板面に多数の小孔からなる通孔４１が形成された樹脂製の円形プレートである。棚板４の板面全体に亘って通孔４１が形成されるが、図１は棚板４の板面の一部にだけ通孔４１を描く簡略図示にとどめ、通孔４１全ての図示を省略する。盆栽棚には複数の棚板４が設けられ、それらが上下方向に離間して軸状体３に取着固定される。本実施形態は、上段用,中段用,下段用として、３枚の棚板４が設けられ、各棚板４の中央に主軸部３１が貫通する軸孔４９が開設されている。さらに、各棚板４の外周縁には、フレーム７を係止固定する切欠部４３が複数(ここでは略９０°ピッチで四箇所)設けられている。
【００１８】
棚板４は例えば、次のようにして軸状体３に固定一体化される。短管からなる第一外筒部３２ａを基柱上部２５ｂの上端から嵌め込んで、第一外筒部３２ａの下部が基柱上部２５ｂに嵌合固定された後、該外筒部３２ａに長尺の主軸部３１を挿着固定する。主軸部３１の下端面３１２を基柱上部２５ｂの上端面２５ｂ１に当接させるようにして(図４)、主軸部３１の第一外筒部３２ａへの固定強化が図られる。次いで、該主軸部３１に下段の棚板４の軸孔４９を合わせて、主軸部３１の上方から下段の該棚板４(ここでは最下段の棚板４に該当)を嵌め入れ、主軸部３１が軸孔４９を貫通するようにして、図４に示すごとく第一外筒部３２ａの上端面で棚板４を係止する。続いて、短管からなる第二外筒部３２ｂを主軸部３１の上方から該主軸部３１に嵌め込み、第一,第二外筒部３２で下段棚板４を挟み込んで、該棚板４を水平状態になるようにして軸状体３に固定一体化する。
以下、同じようにして、該主軸部３１の上方から中段の棚板４の軸孔４９を合わせ、中段棚板４を主軸部３１に嵌挿させて、図２に示すごとく前記第二外筒部３２ｂの上端面で中段の棚板４を係止する。続いて、短管からなる第三外筒部３２ｃを主軸部３１へ嵌め込み、第二,第三の外筒部３２ｂ,３２ｃで中段の棚板４を水平状態にして挟み込んで軸状体３に固定一体化する。さらに、該主軸部３１にその上方から上段の棚板４の軸孔４９を合わせて、上段棚板４を主軸部３１に嵌挿し、前記第三外筒部３２ｃの上端面で係止する。続いて、コーン部３３を主軸部３１の上端から嵌め込み、上段の棚板４を水平状態に保って、且つコーン部３３と第三外筒部３２ｃとで挟着し、上段棚板４を主軸部３１に固定一体化する。主軸部３１はコーン部３３よりも上方へ突出する長さにしており、その後、その上端部分にキャップ３４を取着する。各棚板４が上板面４ａを水平に配して軸状体３に固定一体化される。
【００１９】
こうして、各棚板４に図２のごとく鉢９ｂに植木９ａを植えた複数のミニ盆栽９を載せることができる。と同時に、じょうろＦ等を用いた水遣りで、植木９ａから流れ落ちた水Ｗや植木９ａにかからなかった水Ｗが、上段側の該棚板４に係る前記通孔４１を通って垂れる水滴Ｗ１となって、下段側の該棚板４上に落下する構成とする。また、軸状体３に接続する基柱２５に、上面開口の前記受け皿５がさらに固着され、最下段の該棚板４の通孔４１を通って垂れる水滴Ｗ１が、該受け皿５内に収容される構成とする。
本実施形態は、各棚板４が軸状体３に安定保持されるよう、さらに前記切欠部４３にフレーム７が係止固定される。
【００２０】
前記フレーム７は軸部材で形成される円形リング部７２と縦軸部７１とを備える。円形リング部７２は、金属製軸部材を円形に丸めた環体で、図１のごとく棚板４の円形の本体主部と平面視大きさをほぼ同じくする。縦軸部７１は、円形リング部７２に基端部分を溶接固定して、円形リング部７２の面に対し垂直に延びる金属製棒状体である。縦軸部７１は円形リング部７２に９０°ピッチで四本固定し、前記切欠部４３に各縦軸部７１が嵌入して、フレーム７が各棚板４に図１の状態で係止保持されるようになっている。と同時に、棚板４がフレーム７の係止で、軸状体３に安定保持される構造になっている。符号７５は切欠部４３に縦軸部７１を嵌入させ係止保持させた後、その切欠部４３の位置に該縦軸部７１をとどめる平面視Ω状の樹脂製クリップを示す。該クリップ７５が、樹脂の有する可撓性,弾性変形を伴って、切欠部４３が在る棚板４へのフレーム７に係る縦軸部７１の係止一体化を高める。この一体化で、各棚板４が上板面４ａをより安定して水平に保って軸状体３に取付けられるようになる。尚、棚板４は上板面が水平に配される本体板部４０だけにとどまらず、図２の鎖線図示ごとく上板面４ａを形成する本体板部４０の外周縁から上方へ延在する堰用板部４２が設けられるとより好ましい。該堰用板部４２によって、水遣りで棚板４上に流れた水Ｗが通孔４１を通って垂れる水滴Ｗ１となり易くなり、水Ｗのより有効活用が図れるからである。また、棚板４に載置した盆栽９が不用意に横ズレして棚板４から脱落するのを、該堰用板部４２が阻止するからである。本体板部４０の外周縁を取り巻く堰用板部４２の高さは数センチ程度とする。
【００２１】
尚、本実施形態の軸状体３は、主軸部３１と外筒部３２とを備え、各棚板４に主軸状体３を挿通し、棚板４を外筒部３２で挟み込むようにして軸状体３に取付け、さらに、フレーム７を切欠部４３に係止させることで、棚板４を軸状体３に分解可能に取付けたが、棚板４が軸状体３に固定一体化されればよく、斯かる構造に限定されない。棚板４の上板面を水平に配して、且つ各棚板４が上下方向に離れて、軸状体３に固定一体化されれば足りる。例えば、棚板４と軸状体３との組立てや分解はできなくなるが、第二,第三外筒部３２及びコーン部３３付き外筒部３２をなしにして、例えば図５のごとく各棚板４を軸状体３に接着剤Ｓで固定し一体化することもできる。
【００２２】
袋状体８は、軸状体３の上方から被着して、複数の前記棚板４を覆うことのできる一側が開口する有底筒状のカバーである。本実施形態は、冬季用のシート状袋状体８１と夏用の網状袋状体８２の二種類を備える。ここでのシート状袋状体８１は、繰り返し使用可能で丈夫な樹脂製シートで造られた袋状体８であるが、本考案に係るシート状の袋状体８１に係るシートには厚みの薄いフィルムを含むものとする。繰り返し使用に劣るが、シート状袋状体８１と同様の効果が得られるからである。
【００２３】
シート状袋状体８１は、有底筒状カバーの有底部たる上端面の中央に開口８１０が設けられた透明樹脂製シートカバーである。該開口８１０を軸状体３の前記キャップ３４に通して軸状体３の上方から被せると複数の前記棚板４をすっぽりと覆うことができる大きさになっている。シート状袋状体８１は、ビニルハウスのような冬越しの防護品としての役割を担う。
本実施形態は、上端面の中央に穴を開けた樹脂製椀状体ＣＰをさらに備える。該穴を前記キャップ３４に通し、軸状体３の上方からお椀を伏せるように該椀状体ＣＰを前記円形リング部７２に被せると、椀状体ＣＰが、その下部内面を該円形リング部７２に当接させて、キャップ３４を頂部にして半球状面をつくる。該椀状体ＣＰをキャップ３４,円形リング部７２に被せた後、開口８１０を軸状体３の前記キャップ３４に通して軸状体３の上方からシート状袋状体８１を被せると、各棚板４を覆う空間がより安定して得られるようになっている。シート状袋状体８１で各棚板４を覆った時、椀状体ＣＰとフレーム７とで、棚板４上の盆栽９にシート状袋状体８１が触れないようにする。
図３のごとく、各棚板４をすっぽりと覆ったシート状袋状体８１は、その下部を最下段棚板４(ここでは下段棚板４)に図示しないクリップ７３からなる係止具で係止固定させる。強風でバタつかないようにするためである。また、ここでのシート状袋状体８１は、前記開口８１０から下縁に至る一のラインがファスナー(図示せず)で閉じられて、一側が開口８１０する有底筒状のカバーになっている。ファスナーの開閉によって使い勝手を向上させる。シート状袋状体８１が各棚板４をすっぽりと覆った状態にあっても、ファスナーを開ければ容易に水遣りや手入れができる。尚、図示を省略するが、次のようなフレーム７にしてもよい。すなわち、図１の状態で、キャップ３４を取巻く小径環部とリング部７２とを連結する梁部材とをさらに備えるフレーム７である。複数の梁部材は、その上端が小径環部に結合して、該小径環部から下降傾斜しながら放射線状に広がり、その下端がリング部７２につながる。斯かるフレーム７であれば、前記椀状体ＣＰをなくすことができる。
【００２４】
網状袋状体８２は、前記シート状袋状体８１の透明樹脂製シートカバーに代えて、樹脂製ネットで袋状体８とする。有底筒状カバーの有底部たる上端面の中央に開口８２０が設けられた網状カバーである。該開口８２０を軸状体３の前記キャップ３４に通して軸状体３の上方から被せると複数の前記棚板４をすっぽりと覆うことができる大きさになっている。棚板４を網状袋状体８２で覆うことで、棚板４に置いた盆栽９を夏の強い日差しや乾燥から保護する。
前記シート状袋状体８１と同様、椀状体ＣＰでキャップ３４を頂部にして半球状面をつくらせた後、開口８２０を前記キャップ３４に通して軸状体３の上方から網状袋状体８２を被せると、該網状袋状体８２が棚板４をすっぽりと覆う安定した空間をつくる。尚、ここでも、前述のごとく小径環部,梁部材を備えるフレーム７にして、椀状体ＣＰをなしにできる。
網状袋状体８２も、シート状袋状体８１と同様、開口から下縁に至る一のラインがファスナーで閉じられて、一側が開口する有底筒状のカバーになっている。尚、網状袋状体８２は、シート状袋状体８１のように強風でバタつくことがないので、その下部を最下段棚板４に係止する構造にはなっていない。
【００２５】
（２）実施形態２
ここでは、実施形態１の棚板４に代えて図６のような盆栽棚とする。図６は図１に代わる盆栽棚の全体斜視図である。
【００２６】
棚板４は、上板部にミニ盆栽９が載る板状体で、その上板面を水平に配して該軸状体３に固定一体化される。棚板４は、図６のごとく小径の金属製円板部４５と大径の金属製環板部４４とを両者の中心が一致するように配し、且つ中心から放射線状に配する骨組み丸鋼４６で円板部４５と環板部４４を連結する。さらに、それらの上面に金網４７を敷いて、板面を貫通する複数の通孔４１が該金網４７の網目によって形成される板状体の棚板４とする。ここでは、さらに上板面４ａを形成する本体板部たる環板部４４の外周縁から上方へ延在する堰用板部４２を設ける。
本実施形態は、上段用,中段用,下段用として、３枚の棚板４が設けられ、円板部４５には実施形態１と同様、各棚板４の中央に、詳しくは円板部４５の中央に主軸部３１が貫通する軸孔４９が開設される。そうして、各棚板４の上板面４ａを水平に配して、且つ上下方向に離れて、該軸状体３に複数の棚板４が固定一体化されるようにする。
他の構成は実施形態１と同様で、その説明を省く。実施形態１と同一符号は同一又は相当部分を示す。
【００２７】
（３）効果
このように構成した盆栽棚は、軸状体３に棚板４を水平に配して上下方向に離間させて複数取付けているので、マンションのベランダや狭い場所でも従来の一段の固定式棚板４よりも多数の盆栽９の鉢数を置くことができる。置き場所のスペース確保が難しい住宅事情にあっても、本盆栽棚のごとく棚板を上下方向に複数段設けて、これら棚板に盆栽を置けば多くの盆栽を育てることができる。小さな庭やベランダでも、数多くの盆栽を機能管理できる。
そして、基台１に対し軸状体３が回転自在に取付けられ、棚板４が基台１に対し回転自在となるので、棚板４を回転させながら一方向からの水遣りが可能で、ホースをひきずり回す必要がなくなる。毎日の盆栽９への水遣りを容易にする。
また、回転自在の棚板４の停止位置を変えることによって、簡単に均一な日照が得られる。上下方向に複数在る棚板４上に注ぐ日照度が異なるので、その棚板４に合った樹種の盆栽９を載せて効果的な培養ができる。
【００２８】
さらに、軸状体３に、板面を貫通する複数の通孔４１が形成された棚板４を水平に配して上下方向に離して複数設け、下段側の該棚板４上に、上段側の該棚板４に係る前記通孔４１を通って垂れる水滴Ｗ１が落下するので、上段の棚板４に置かれた盆栽９への水遣りで、こぼれた水Ｗが下段の棚板４上に置かれた盆栽９へ降るようになり、水遣りの水Ｗの有効活用が図られる。
【００２９】
加えて、図５のごとく最下段の棚板４よりも下方の前記軸状体３に、又は図２のごとく基台１に対し垂直起立して該軸状体３に接続する基柱２５に、上面開口５０の受け皿５がさらに固着され、最下段の該棚板４の前記通孔４１を通って垂れる水滴Ｗ１が該受け皿５内に収容されると、水遣りで受け皿５内に水Ｗが溜まるようになるので、この溜まった水Ｗが蟻やナメクジが盆栽９まで侵入しなくなる。図２中、符号Ｗ０は水面を示す。常時、水Ｗを溜めることのできる受け皿５が取付けられることによって、棚板４上の各盆栽９を蟻や害虫から隔離できるので、快適な盆栽９の観賞,手入れができる。
さらに、最下段の棚板４よりも下方で且つ受け皿５の上縁よりも上方部位の軸状体３に、又は受け皿５よりも下方に位置する基柱２５に、銅板６が巻付けられると、銅イオンをナメクジが嫌うので、盆栽棚からナメクジをより確実に排除できる。
【００３０】
また、軸状体３の上方から被着して、複数の前記棚板４を覆うことのできる別体のシート状袋状体８１をさらに具備すると、このシート状袋状体８１で複数の前記棚板４を覆って温室的効果を発揮して冬越しができるようになる。シート状袋状体８１に代えて、遮光ネット等の網状袋状体８２をさらに具備すると、この網状袋状体８２で複数の前記棚板４を覆って、夏の強い日照や乾燥から保護できるようになり、さらに実のなる季節には、該網状袋状体８２で各棚板４を覆って実が取られる鳥害から守ることができる。
かくのごとく、上述した数々の優れた効果を発揮し、実用的且つ有意義な盆栽棚になっている。
【００３１】
尚、本考案においては前記実施形態に示すものに限られず、目的,用途に応じて本考案の範囲で種々変更できる。基台１,ベース板２，棚板４,受け皿５,銅板６,フレーム７,袋状体８等の形状,大きさ,個数,材質等は用途に合わせて適宜選択できる。例えば、本実施形態は、軸状体３に接続する基柱２５に、上面開口の受け皿５が固着され、最下段の該棚板４の通孔４１を通って垂れる水滴Ｗ１が、該受け皿５内に収容される構成としたが、最下段の前記棚板４よりも下方の前記軸状体３に、上面開口の受け皿５がに固着され、最下段の該棚板４の通孔４１を通って垂れる水滴Ｗ１が、該受け皿５内に収容される構成とすることもできる。実施形態１,２の盆栽棚は基台１がコンクリート製で、棚板４とこれに載せる盆栽９の自重で、少々の風で倒れることはないが、基台１に別体の固定具を取付け、より完璧な転倒防止対策を施すことができる。また、基台１にアジャスターや移動用キャスターを取付けることもできる。
【符号の説明】
【００３２】
１              基台
２５            基柱
３              軸状体
４              棚板
４ａ            上板面
４１            通孔
５              受け皿
６              銅板
８１            シート状袋状体（シート状の袋状体）
８２            網状袋状体（網状の袋状体）
【図１】
0003164338.tif 000003
【図２】
0003164338.tif 000004
【図３】
0003164338.tif 000005
【図４】
0003164338.tif 000006
【図５】
0003164338.tif 000007
【図６】
0003164338.tif 000008